【手続補正書】
【提出日】平成24年3月1日(2012.3.1)
【手続補正１】
【補正対象書類名】特許請求の範囲
【補正対象項目名】全文
【補正方法】変更
【補正の内容】
【特許請求の範囲】
【請求項１】
広告主と少なくとも一人のユーザとの間の通信を開始するためのシステムであって、
前記広告主に関連する広告バナーであって、少なくとも１つのネットワークページ内に埋め込まれる広告バナーと、
前記広告バナーを維持しまた更新するための少なくとも１台の中央サーバと、
少なくとも一人のユーザの少なくとも１台のユーザの通信装置と、
少なくとも１台の広告主の通信装置と、
を含み、
前記広告バナーは広告内容と呼出しツールとを含み、
前記呼出しツールは前記広告主の通信装置と前記ユーザの通信装置との間の呼出しを開始させ、
前記システムは予め定めた規則に従って前記呼出しツールを活動化および非活動化させ、前記規則は少なくとも１つの活動化条件を含み、少なくとも１つの活動化条件を満たしたことを確認すると呼出しツールを活動化させる、
通信を開始するためのシステム。
【請求項２】
前記少なくとも１つの活動化条件は、前記ユーザが実施するイベントに依存する条件と、前記広告主が予め定めたイベントに依存する条件の少なくとも１つである、請求項１記載の通信を開始するためのシステム。
【請求項３】
前記中央サーバは、前記開始した呼出しに関するデータと広告主およびその通信装置に関する登録された項目とを記憶する少なくとも１台のデータベースに関連して動作し、許可された広告主はその中に記憶されたデータを検索することができる、請求項１記載の通信を開始するためのシステム。
【請求項４】
前記広告主に関する前記活動化条件は、
前記広告主の口座の前払い残高と、
前記広告主が定義した予め定めた呼出しスケジュールと、
呼出しトラフィック負荷と、
ユーザの地理的位置、
の少なくとも１つを含む、請求項２記載の通信を開始するためのシステム。
【請求項５】
前記ユーザが実施するイベントに依存する前記活動化条件は、
疑わしいバナーと、
呼出しアプリケーションの問題のある使用の履歴と、
前記ユーザの地理的位置と、
前記バナーがロードされた回数と、
前記特定のバナー内の呼出しの予め定めたしきい値割当ての超過、
の少なくとも１つを含む、請求項２記載の通信を開始するためのシステム。
【請求項６】
前記中央サーバは更に少なくとも１台の呼出しシステムに関連して動作して、前記少なくとも１つの通信ネットワークを介して電話呼出しを実行しまたデータを前記中央サーバに送ることにより呼出しおよび口座に関係する情報に関して前記中央サーバを更新できるようにし、
前記サーバは、広告主が個人口座を開き、カスタム化し、定義することにより、広告主がバナーを定義し、作成し、アップロードし、カスタム化し、呼出しツールおよびその内容をカスタム化し、呼出しの前払いを行い、そのバナーを通して行った呼出しに関する統計的データを見ることができるようにし、
前記呼出しシステムは通信オペレータであって、前記ユーザの通信装置と前記広告主の通信装置の間で少なくとも１つの通信ネットワークを介して行われる呼出しに関するデータを記憶しまた送ることができるようにし、前記呼出しは前記バナーの前記呼出しツールおよび広告主の口座残高やその他の口座に関する項目により開始する、
請求項１記載の通信を開始するためのシステム。
【請求項７】
請求項１記載の通信を開始するためのシステムは、バナーマネージャに関係しており、
前記バナーマネージャは、
バナーカスタム化ツールと、
制御モジュールと、
口座モジュールと、
の少なくとも１つを含み、
前記バナーカスタム化ツールは、前記広告主がバナーを作成し、更新し、カスタム化しまた種々の通信装置の間で呼出しを実施しまた開始するために前記通信ネットワークおよび構成を定義しまた更新できるようにし、前記制御モジュールは前記カスタム化ツールが作成したバナーを監視しまた管理できるようにし、また前記口座モジュールは、ユーザインターフェースであって、前記広告主が前記広告主のバナーに関連する全てのデータを含む個人口座を開きまた管理し、前記広告主に関する統計的呼出しデータを記憶しまた更新し、前記バナーの呼出しおよび広告サービスに対して支払いできるようにするユーザインターフェースである、
請求項１記載の通信を開始するためのシステム。
【請求項８】
前記バナーカスタム化ツールは呼出しツールカスタム化モジュールを更に含み、前記呼出しツールカスタム化モジュールは、前記広告主が前記呼出しツールと前記呼出しツールの機能およびパラメータとを作成し、更新し、カスタム化できるようにする、請求項７記載の通信を開始するためのシステム。
【請求項９】
前記呼出しツールはインターフェースを含み、前記インターフェースは前記ユーザが自分の通信装置の識別を入力するための入力フィールドと、仮想の呼出しボタンであって、ユーザが前記ボタンを押すと呼出しを承認し、前記ボタンを押すと呼出しが自動的に開始される呼出しボタンとを含む、請求項１記載の通信を開始するためのシステム。
【請求項１０】
前記呼出しツールを活動化すると、前記呼出しツールの活動化状態を示す視覚表示が提示される、請求項１記載の通信を開始するためのシステム。
【請求項１１】
前記インターフェースは前記ユーザとの呼出しを開始するためのユーザの通信装置のユーザの識別子を記憶しまた検索し、前記インターフェースに入力した前記サーバに関連する任意のバナーの最後の識別子は前記ユーザの識別子のデフォルトオプションとして用いられる、請求項１０記載の通信を開始するためのシステム。
【請求項１２】
広告主の少なくとも１つの広告バナー内の呼出しツールを活動化しまた非活動化するコンピュータで実現する方法であって、前記バナーは少なくとも１つのネットワークページ内に埋め込まれ、前記呼出しツールは前記広告主とユーザとの間の呼出しを開始させ、前記方法は、
少なくとも１つの予め定めた活動化条件を満たしたことを確認することと、
前記少なくとも１つの活動化条件を確認すると、前記呼出しツールを活動化することと、
ユーザが前記開始をトリガすると、ユーザの通信装置と広告主の通信装置との間の呼出しを開始することと、
を含む、コンピュータで実現する方法。
【請求項１３】
予め定めた規則に従って少なくとも１つの予め定めた確認条件をチェックすることを更に含み、前記活動化条件が確認されたときだけ前記呼出しツールは活動化する、請求項１２記載のコンピュータで実現する方法。
【請求項１４】
前記バナーと通信する少なくとも１台の中央サーバは前記活動化条件を確認し、前記活動化条件に従って前記呼出しツールを活動化しまた非活動化する、請求項１２記載のコンピュータで実現する方法。
【請求項１５】
前記呼出しの前記開始は、前記広告主の通信装置が少なくとも１つの通信ネットワークを介して前記広告主の費用で前記ユーザの通信装置を自動的に呼び出すことにより行う、請求項１４記載のコンピュータで実現する方法。
【請求項１６】
呼出しに関するデータを前記中央サーバに送ることを更に含み、前記サーバに関連して動作する呼出しシステムは、呼出しを開始しまた呼出しに関係するデータを前記サーバに送り、前記サーバは少なくとも１台のデータベースに関連して動作して前記データを記憶する、請求項１５記載のコンピュータで実現する方法。
【請求項１７】
更に、
呼出しデータを処理し、前記中央サーバは、呼出しに関係するデータを統計的モジュールに従って処理し、各広告主に関連するデータを処理して統計値を出力して、ユーザがセールスプロモータとしての前記バナーの効率を測定できるようにし、
前記データベースから情報を検索して、得られた統計処理結果を広告主が検索して見ることができるようにする、
請求項１６記載のコンピュータで実現する方法。
【請求項１８】
ユーザの電話番号を入力フィールドに入力することを更に含み、前記番号はユーザの通信装置を識別し、仮想の呼出しボタンを押すと前記広告主から前記ユーザへの呼出しを開始し、
前記番号を入力して前記呼出しボタンを押すと、前記広告主の通信装置と前記ユーザの通信装置との間の呼出しを自動的に開始する、
請求項１２記載のコンピュータで実現する方法。
【請求項１９】
前記呼出しツールを活動化するための活動化条件を定義することを更に含み、
バナーの前記カスタム化、更新、および作成はバナーカスタム化ツールを用いて行い、バナーマネージャは更に、広告主が個人口座を開きまた更新して、広告主が呼出しに対する前払いを行い、各広告主口座から開始した呼出しに関する統計的情報を処理しまた見ることができるようにする、
請求項１２記載のコンピュータで実現する方法。
【請求項２０】
前記呼出しツールを活動化すると前記呼出しツールの活動化状態を示す視覚表示が提示され、これにより前記ユーザはインターフェースを入力して、インジケータをトリガリングすることによりインターフェースからの呼出しを開始することができ、ここで、前記トリガリングは、少なくとも、前記インジケータ上でカーソルを動かすか、或いは前記インジケータ領域上でクリックするか、のいずれか１つを含む、
請求項１２記載のコンピュータで実現する方法。
【請求項２１】
前記ユーザの装置からデータを集めて記憶することを更に含み、前記呼出しツールはユーザによりトリガされ、前記データは前記ユーザの通信装置および前記呼出しに関係する、請求項１２記載のコンピュータで実現する方法。
【請求項２２】
広告内容および呼出しツールを含む広告バナーであって、前記バナーは前記呼出しツールを活動化することより、予め定めた広告主の通信装置と少なくとも１台のユーザの通信装置との間の呼出しを開始させ、前記バナーは中央サーバに関連して動作して前記バナーを維持しまた制御し、また前記呼出しツールおよび広告内容を動作させ、
前記呼出しツールは少なくとも１つの予め定めた活動化条件に従って活動化される、
広告バナー。
【請求項２３】
インターフェースを提供して、ユーザが前記広告主との呼出しを実行するためのユーザの通信装置に関連する少なくとも１つの識別子を含むデータを入力できるようにし、前記広告バナーは少なくとも１つの識別子を記憶して、将来前記識別子を複数のバナーの複数の呼出しツール内で使えるようにする、請求項２２記載の広告バナー。